(57)【特許請求の範囲】
【請求項１】
段ボール板紙によって形成され、矩形状の底板の前後側縁にそれぞれ折目線を介して連設された一対の側壁板を起立させ、一方の側壁板の先端縁に折目線を介して連設された天板を前記底板に平行に折り曲げ、他方の側壁板又は該天板の先端縁に折目線を介して連設された接着片を折り曲げて該天板又は他方の側壁板に接着し、前記両側壁板の各左右側縁に折目線を介して一対ずつ連設された各内フラップを互いに内方に折り曲げると共に各内フラップの先端縁間に間隔を形成し、前記底板と前記天板との各左右側縁に折目線を介して一対ずつ連設された各外フラップをそれぞれ上下から内方に折り曲げ、各外フラップの先端部の少なくとも各内フラップの先端縁間の間隔に対応する位置に突設された当接部の先端縁同士を互いに当接させ、各外フラップを前記内フラップに接着することにより形成される包装箱において、
前記一方又は他方の側壁板とその左右に連設された各内フラップには、該側壁板と内フラップを上部と下部とに切断するのを補助する第１切断補助手段が設けられ、
前記第１切断補助手段に従って切断される側壁板の上部とその左右に連設された各内フラップとの間には、これらの間を切断するのを補助する第２切断補助手段が設けられ、
前記天板とその左右側縁に連設された各外フラップとの間には、これらの間を切断するのを補助する第３切断補助手段が設けられ、
前記天板には、前記第１切断補助手段が設けられた側壁板側の境界から、前記包装箱により包装される商品の高さに対応する距離だけ離れた位置に該境界に平行な谷折線が設けられ、
前記第１切断補助手段、第２切断補助手段及び第３切断補助手段に従った切断により開梱したとき、前記天板を前記谷折線に沿って折り曲げ、かつ前記第１切断補助手段に従って切断された前記側壁板の上部の切断縁を、前記底板と該切断された側壁板の下部とが交わる稜線部分の内側に当接させることにより、該側壁板上部による第１傾斜面と、前記天板における該谷折線よりも該切断縁側の部分による第２傾斜面と、該天板の該第２傾斜面以外の部分による第３傾斜面とが形成され、
前記包装箱は、各段において行列状に配置されかつ２段積みにされた商品を包装するものであり、
前記商品の展示に際し、包装されていた商品のうちの１段分については、前記第２傾斜面と第３傾斜面とを用いて前記第３傾斜面で商品の底部を支持しながら行列状に配列した状態で保持するとともに、その保持された各商品の上面と、前記第１傾斜面と、前記第１切断補助手段に従って切断された側壁板の下部とを利用して他の１段分の商品を同様の姿勢で行列状に配列された状態で保持することを特徴とする包装箱。
【請求項２】
前記第１切断補助手段は、それが設けられた前記側壁板に連設された各内フラップのうちの一方から該側壁板を経て他方の内フラップにわたって帯状に破断するための破断部と、該一方の内フラップに設けられた該破断部における破断開始用の切れ目とを有することを特徴とする請求項１に記載の包装箱。
【請求項３】
前記第１切断補助手段が設けられていない前記側壁板及びこれに連設された各内フラップについても、前記破断部及び破断開始用の切れ目と同様の破断部及び切れ目が設けられていることを特徴とする請求項２に記載の包装箱。
【発明の詳細な説明】
【技術分野】
【０００１】
本発明は、商品を包装する包装箱に関する。
【背景技術】
【０００２】
従来、商品の包装には、打抜かれた段ボール板紙上に商品を載せ、これを包み込むように段ボール板紙を折り曲げて箱を組み立てながら商品の包装を行うラップアラウンド式の包装箱が用いられる。
【０００３】
この包装箱においては、底板と、底板に上方から対向する天板と、底板の両側に起立する一対の側壁板とによって胴部が形成される。胴部の両端は、側壁板の両側に連設された各内フラップと、底板及び天板に連設された各外フラップとによって閉塞される。包装箱の開梱は、両側壁板の内面に設けられた破断用テープにより両側壁板を上下に切り裂いて包装箱を上下に分断することにより行われる。
【０００４】
包装箱で包装されていた商品を販売のために展示する際には、上下に分断された包装箱の上側部分が取り除かれ、トレー状となった下側部分に配置されている商品が、下側部分とともにそのまま展示される。顧客は、このように展示された商品を視認しながら、購入のために自由に取り上げることができる。（例えば、特許文献１参照）
【先行技術文献】
【特許文献】
【０００５】
【特許文献１】特開２００５−１３８８７７号公報
【発明の概要】
【発明が解決しようとする課題】
【０００６】
しかしながら、商品がどんぶり型の容器に入れられた麺類のような場合には、容器の蓋にインパクトのある表示が施されている場合が多い。このような商品は、容器の蓋に施された表示が、より良く顧客の視覚に訴えるように展示されるのが好ましい。
【０００７】
本発明の目的は、かかる従来技術の課題に鑑み、商品の上面が良好に視認されるような商品の展示機能を有する包装箱を提供することにある。
【課題を解決するための手段】
【０００８】
本発明の包装箱は、段ボール板紙によって形成され、矩形状の底板の前後側縁にそれぞれ折目線を介して連設された一対の側壁板を起立させ、一方の側壁板の先端縁に折目線を介して連設された天板を前記底板に平行に折り曲げ、他方の側壁板又は該天板の先端縁に折目線を介して連設された接着片を折り曲げて該天板又は他方の側壁板に接着し、前記両側壁板の各左右側縁に折目線を介して一対ずつ連設された各内フラップを互いに内方に折り曲げると共に各内フラップの先端縁間に間隔を形成し、前記底板と前記天板との各左右側縁に折目線を介して一対ずつ連設された各外フラップをそれぞれ上下から内方に折り曲げ、各外フラップの先端部の少なくとも各内フラップの先端縁間の間隔に対応する位置に突設された当接部の先端縁同士を互いに当接させ、各外フラップを前記内フラップに接着することにより形成される包装箱において、前記一方又は他方の側壁板とその左右に連設された各内フラップには、該側壁板及び該内フラップを上部と下部とに切断するのを補助する第１切断補助手段が設けられ、前記第１切断補助手段に従って切断される側壁板の上部とその左右に連設された各内フラップとの間には、これらの間を切断するのを補助する第２切断補助手段が設けられ、前記天板とその左右側縁に連設された各外フラップとの間には、これらの間を切断するのを補助する第３切断補助手段が設けられ、前記天板には、前記第１切断補助手段が設けられた側壁板側の境界から、前記包装箱で包装される商品の高さに対応する距離だけ離れた位置に該境界に平行な谷折線が設けられ、前記第１切断補助手段、第２切断補助手段及び第３切断補助手段に従った切断により開梱したとき、前記天板を前記谷折線に沿って折り曲げ、かつ前記第１切断補助手段に従って切断された前記側壁板の上部の切断縁を、前記底板と該切断された側壁板の下部とが交わる稜線部分の内側に当接させることにより、該側壁板上部による第１傾斜面と、前記天板における該谷折線よりも該切断縁側の部分による第２傾斜面と、該天板の該第２傾斜面以外の部分による第３傾斜面とが形成され、前記包装箱は、各段において行列状に配置されかつ２段積みにされた商品を包装するものであり、前記商品の展示に際し、包装されていた商品のうちの１段分については、前記第２傾斜面と第３傾斜面とを用いて前記第３傾斜面で商品の底部を支持しながら行列状に配列した状態で保持するとともに、その保持された各商品の上面と、前記第１傾斜面と、前記第１切断補助手段に従って切断された側壁板の下部とを利用して他の１段分の商品を同様の姿勢で行列状に配列された状態で保持することを特徴とする。
【０００９】
本発明によれば、第１傾斜面及び第３傾斜面は上述の切断縁側が下がった傾きを有し、第２傾斜面はこれらとは逆方向に傾斜している。また、第２傾斜面は、上述のように商品の高さに対応する傾斜方向の幅を有する。
【００１０】
したがって、包装されていた商品のうちの一部については、第２傾斜面と第３傾斜面とを用いて第３傾斜面で商品の底部を支持しながら保持するとともに、保持された各商品の上面と、第１傾斜面と、切断された側壁板の下部とを利用して、さらに他の商品を、同様の姿勢で保持することができる。これにより、いずれの商品の上面も第３傾斜面とほぼ平行になるので、第３傾斜面が面する側から各商品の上面が良好に視認できるような商品の展示を行うことができる。
【００１１】
本発明においては、前記包装箱は、各段において行列状に配置されかつ２段積みにされた商品を包装するものであり、前記商品の展示に際し、包装されていた商品のうちの１段分については、前記第２傾斜面と第３傾斜面とを用いて前記第３傾斜面で商品の底部を支持しながら行列状に配列した状態で保持するとともに、その保持された各商品の上面と、前記第１傾斜面と、前記第１切断補助手段に従って切断された側壁板の下部とを利用して他の１段分の商品を同様の姿勢で行列状に配列された状態で保持する。
【００１２】
これによれば、包装されていた全商品を、効率的にかつ整然と包装箱上に展示することができる。
【００１３】
本発明においては、前記第１切断補助手段は、それが設けられた前記側壁板に連設された各内フラップのうちの一方から該側壁板を経て他方の内フラップにわたって帯状に破断するための破断部と、該一方の内フラップに設けられた該破断部における破断開始用の切れ目とを有するものであってもよい。
【００１４】
これによれば、破断部に沿った破断により側壁板を上部と下部とに切断する際に、該側壁板の両側の内フラップも切断されるので、その後、容易に第２切断補助手段に従って該側壁板とその両側の内フラップとの間の切断を行うことができる。
【００１５】
また、本発明においては、前記第１切断補助手段が設けられていない方の前記側壁板及びこれに連設された各内フラップについても、前記破断部及び破断開始用の切れ目と同様の破断部及び切れ目が設けられていてもよい。
【００１６】
これによれば、両側壁板に係る破断部及び切れ目によって切断を行うことにより、従来と同様に包装箱を上下に分断する開梱を行うことができる。この場合、第１切断補助手段を、従来の開梱と、本発明に従って商品の展示を行う場合の開梱とで共用することができる。
【図面の簡単な説明】
【００１７】
【図１】本発明の一実施形態に係る包装箱の斜視図である。
【図２】図１の包装箱の展開図である。
【図３】図１の包装箱を商品の展示用に用いるときの様子を示す斜視図である。
【図４】図１の包装箱により商品を展示している様子を示す斜視図である。
【発明を実施するための形態】
【００１８】
以下、図面を用いて本発明の実施形態を説明する。図１に示すように、実施形態の包装箱１は、直方体状のラップアラウンド式のものであり、図２に示すように、ほぼ矩形状に打ち抜いて形成された段ボール板紙２により組立てられる。
【００１９】
段ボール板紙２は、底板３と、底板３の前側縁に折目線を介して連設された前側壁板４と、底板３の後側縁に折目線を介して連設された後側壁板５と、前側壁板４の先端縁に折目線を介して連設された天板６とを備える。また、後側壁板５の先端縁には、折目線を介して接着片７が連設される。なお、接着片７は、天板６の先端縁に折目線を介して連設されてもよい。
【００２０】
前側壁板４と後側壁板５のそれぞれの左右側縁には、一対の内フラップ８が折目線を介して連設される。天板６の左右側縁には一対の上外フラップ９が折目線を介して連設され、底板３の左右側縁には一対の下外フラップ１０が折目線を介して連設される。
【００２１】
また、前側壁板４及びその両側の内フラップ８と、後側壁板５及びその両側の内フラップ８とのそれぞれには、帯状に連続して破断可能とするための破断部として、破断用テープ１１が設けられる。破断用テープ１１による破断開始位置となる内フラップ８の破断用テープ１１部分には、破断開始用のＨ字状の切れ目であるＨカット１２が設けられる。
【００２２】
なお、本実施形態においては、破断部を破断用テープ１１により形成するが、これに代えて、破断方向に配列された不連続の切れ目からなるいわゆるライナーカットにより破断部を形成してもよい。
【００２３】
前側壁板４及びその両側の内フラップ８に設けられた破断用テープ１１と、その一方の内フラップ８に設けられたＨカット１２は、前側壁板４を前側壁板上部１３と前側壁板下部１４とに切断するのを補助する第１切断補助手段として機能する。
【００２４】
また、前側壁板上部１３とその左右に連設された各内フラップ８との間には、これらの間を切断するのを補助する第２切断補助手段としてのミシン目１５が設けられる。また、天板６とその左右側縁に連設された各上外フラップ９との間には、これらの間を切断するのを補助する第３切断補助手段としてのライナーカット１６が設けられる。
【００２５】
さらに、天板６には、第１切断補助手段が設けられた前側壁板４側の長辺（境界）から所定距離離れた該長辺に平行な谷折線１７が設けられる。この所定距離は、包装箱１により包装される商品の高さに対応する距離であり、例えば、商品の高さに一致する。
【００２６】
組立状態の包装箱１では、前側壁板４両側の内フラップ８と、これらに向き合う後側壁板５両側の内フラップ８との先端縁間に間隔が形成される。さらに、図２に示すように、上外フラップ９及び下外フラップ１０には、当該間隔より僅かに幅広の当接部１８及び１９がそれぞれ突設される。
【００２７】
図１に示すように、両当接部１８及び１９が互いに当接することによって、互いに向き合う内フラップ８間の間隔が確実に閉塞される。そして、上外フラップ９及び下外フラップ１０は、内フラップ８との重合部分において内フラップ８に接着される。
【００２８】
包装箱１を段ボール板紙２から組み立てるときには、底板３の前側縁に沿って前側壁板４を起立させ、底板３の後側縁に沿って後側壁板５を起立させ、前側壁板４の先端縁に沿って天板６を水平に折り曲げた後に、接着片７を天板６に接着することで四角筒状の胴部を形成する。そして、各内フラップ８を内方に折り曲げ、各外フラップ９及び１０を内方に折り曲げて内フラップ８の外側に重合させて、各外フラップ９及び１０を各内フラップ８に接着する。これにより、図１に示すような直方体状の包装箱１が形成される。
【００２９】
一方、包装箱１の開梱に際しては、先ず、前側壁板４の一方の側の内フラップ８に設けられたＨカット１２に指を押し入れて、Ｈカット１２の切片を破断方向に引っ張ることにより、破断用テープ１１に沿った破断を他方の側の内フラップ８に至るまで行う。これにより、前側壁板４を前側壁板上部１３と前側壁板下部１４とに切断することができる。
【００３０】
次に、前側壁板上部１３とその左右の各内フラップ８との間がミシン目１５に沿って切断される方向の力を前側壁板上部１３と各内フラップ８とに付与し、前側壁板上部１３と各内フラップ８との間を切断する。
【００３１】
次に、ライナーカット１６に従って天板６とその左右の各上外フラップ９との間が切断される方向の力を天板６と各上外フラップ９とに付与し、天板６と各上外フラップ９との間を切断する。これにより、包装されていた商品を取り出すことができる状態となる。該商品は、２段積みにされ、各段において行列状に配置されている。これらの商品を包装箱１から取り出す。
【００３２】
次に、天板６の谷折線１７に従って天板６を折り曲げる。さらに、破断用テープ１１で切断された前側壁板上部１３の切断縁を、底板３と前側壁板下部１４とが交わる稜線部分の内側に当接させる。
【００３３】
これにより、図３に示すにように、前側壁板上部１３による第１傾斜面２０と、天板６における谷折線１７よりも切断縁側の部分による第２傾斜面２１と、天板６の第２傾斜面２１以外の残余の部分による第３傾斜面２２とが形成される。包装箱１から取り出した商品を、第１傾斜面２０、第２傾斜面２１及び第３傾斜面２２の上に配置して、該商品の展示を行うことができる。
【００３４】
商品の展示に際し、２段積みで包装されていた商品のうちの１段分については、第２傾斜面２１と第３傾斜面２２とを用いて、第３傾斜面２２で商品の底部を支持しながら行列状に配列した状態で保持する。また、保持された各商品の上面と、第１傾斜面２０と、前側壁板下部１４とを利用して、他の１段分の商品を同様の姿勢で行列状に配列された状態で保持する。
【００３５】
図４は、このようにして商品が配置され、展示されている様子を示す。展示されている商品２３は、包装箱１内において２行３列に配列され、２段積みで包装されていたものである。図４に示すように、商品２３の展示に際し、第３傾斜面２２は、商品２３のうちの１段分の各商品２３の底部を、各商品２３が行列状に配列された状態で支持する。
【００３６】
また、第２傾斜面２１は、この行列状に配列された商品２３のうちの最下行の各商品２３の側部を支持する。また、第１傾斜面２０と、行列状に配列された１段分の商品２３の上面とが、残りの１段分の各商品２３の底部を、各商品２３が行列状に配置された状態で支持する。また、前側壁板下部１４が、該残りの１段分の商品２３のうちの最下行の各商品２３の側部を支持する。
【００３７】
この状態において、いずれの商品２３の上面も第３傾斜面２２とほぼ平行になるので、第３傾斜面２２が面する側から各商品２３の上面が良好に視認できるような商品の展示が行われる。これにより、商品２３の蓋に施された表示は、良好に顧客の視覚に訴えることができる。
【００３８】
また、この展示状態においては、下外フラップ１０及び上外フラップ９の双方が存在するので、下外フラップ１０及び上外フラップ９の外面を用い、さらに顧客にアピールする表示を行うこともできる。また、不要であれば、上外フラップ９は取り外すようにしてもよい。
【００３９】
なお、第１切断補助手段が設けられていない後側壁板５及びこれに連設された各内フラップ８についても、破断用テープ１１及びＨカット１２が設けられているので、第２切断補助手段としてのミシン目１５及び第３切断補助手段としてのライナーカット１６による切断を行わずに、前側壁板４及び後側壁板５双方の破断用の破断用テープ１１及びＨカット１２を用いた破断を行うことにより、従来のように、包装箱１を上下に分断する開梱を行うこともできる。
【符号の説明】
【００４０】
１…包装箱、２…段ボール板紙、３…底板、４…前側壁板、５…後側壁板、６…天板、７…接着片、８…内フラップ、９…上外フラップ、１０…下外フラップ、１１…破断用テープ、１２…Ｈカット、１３…前側壁板上部、１４…前側壁板下部、１５…ミシン目、１６…ライナーカット、１７…谷折線、１８，１９…当接部、２０…第１傾斜面、２１…第２傾斜面、２２…第３傾斜面。
【図１】
0005655027.tif 000002
【図２】
0005655027.tif 000003
【図３】
0005655027.tif 000004
【図４】
0005655027.tif 000005